(57)【要約】  本願の音声再生装置は、切り替え対象であるソース機器の物理アドレス値を記憶し、他の機器が発行するＣＥＣコマンドのパラメータである物理アドレス値を参照する。音声再生装置は、参照した物理アドレス値が記憶しているソース機器の物理アドレス値と一致した場合に、切り替え対象機器用の音声入力に自動的に切り替える。これにより、音声再生装置は、ソース機器から出力されるマルチチャンネルの音声信号に基づく音声を再生することができる。また、音声再生装置は、ユーザーがソース機器をシンク機器で視聴状態にした場合、自動的にソース機器からの音声入力に切り替える。
2010122802.tif 000002
【特許請求の範囲】
【請求項１】
映像信号及び音声信号を送出するソース機器と、前記映像信号及び前記音声信号を受信するシンク機器とにデジタルインターフェースを介して接続可能であり、前記ソース機器または前記シンク機器から送られる音声信号を再生する音声再生装置であって、
前記シンク機器に接続可能な一方の音声入力端子と、
前記ソース機器に接続可能な他方の音声入力端子と、
前記デジタルインターフェース上において扱われる制御情報に基づき、前記一方の音声入力端子及び前記他方の音声入力端子のうちいずれか一方を選択する選択部とを備え、
前記選択部は、前記ソース機器または前記シンク機器から前記制御情報が発行された場合は前記他方の音声入力端子を選択する、音声再生装置。
【請求項２】
前記制御情報の物理アドレス情報を参照する参照部と、
前記参照部で参照した最新の物理アドレス情報を記憶する記憶部とをさらに備えた、請求項１に記載の音声再生装置。
【請求項３】
自装置に接続された別のソース機器からの映像信号及び音声信号を前記シンク機器に送出するリピータ機能をさらに有する、請求項１に記載の音声再生装置。
【請求項４】
前記デジタルインターフェースは、ＨＤＭＩ（High-Definition Multimedia Interface）規格に準拠するインターフェースであり、
前記デジタルインターフェースにおいて扱われる制御情報は、ＨＤＭＩ規格のＣＥＣ（Consumer Electronics Control）規格に準拠する制御情報である、請求項１記載の音声再生装置。
【発明の詳細な説明】
【技術分野】
【０００１】
本願は、音声再生装置に関する。
【背景技術】
【０００２】
近年、主として民生用途の映像装置及び音響装置の分野において、映像装置と音響装置とを接続するインターフェース規格として、ＨＤＭＩ規格（High-Definition Multimedia Interface）が広く普及している。ＨＤＭＩは、デジタル機器間において、非圧縮の映像データ及び音声データを伝送することが可能である。非特許文献１及び非特許文献２は、ＨＤＭＩ規格の内容を開示している。【０００３】
最近では、非特許文献１及び２に開示されているＨＤＭＩ規格に準拠したインターフェースを用いて、シンク機器（テレビジョン受像機等）とソース機器（ＤＶＤプレーヤー等）と音声再生装置（ＡＶアンプ等）とを接続したホームシアターシステムが普及しつつある。ＡＶアンプは、ＤＶＤプレーヤーから送られる音声信号またはテレビジョン受像機から送られる音声信号に基づき、スピーカーから音声出力を行うことができる機能を備えている。
【先行技術文献】
【非特許文献】
【０００４】
【非特許文献１】「High-Definition Multimedia Interface Specification Version 1.1」2004年
【非特許文献２】「ENHANCED EXTENDED DISPLAY IDENTIFICATION DATA STANDARD Release A,Revision 1 VESA,」2002年
【発明の開示】
【発明が解決しようとする課題】
【０００５】
しかしながら、従来のホームシアターシステムにおける音声再生装置は、ソース機器から出力される音声信号を入力する場合、ユーザーにおいて音声再生装置の音声入力を切り替える操作が必要となり、使い勝手を低下させてしまう。【０００６】
また、従来のホームシアターシステムにおける音声再生装置は、ソース機器から出力される音声信号が、シンク機器を介して入力端子に入力されている。したがって、音声再生装置の入力端子に入力される音声信号は、シンク機器で処理された音声信号となる。すなわち、ソース機器が例えば５．１チャンネルの音声信号を出力したとしても、シンク機器が５．１チャンネルの音声信号を処理できず２チャンネルの音声信号しか処理できない場合は、音声再生装置には２チャンネルの音声信号が入力されてしまう。したがって、ソース機器及び音声再生装置が５．１チャンネルの音声再生に対応していたとしても５．１チャンネルの音声を出力することができないという問題がある。
【課題を解決するための手段】
【０００７】
本願の音声再生装置は、映像信号及び音声信号を送出するソース機器と、前記映像信号及び前記音声信号を受信するシンク機器とにデジタルインターフェースを介して接続可能であり、前記ソース機器または前記シンク機器から送られる音声信号を再生する音声再生装置であって、前記シンク機器に接続可能な一方の音声入力端子と、前記ソース機器に接続可能な他方の音声入力端子と、前記デジタルインターフェース上において扱われる制御情報に基づき、前記一方の音声入力端子及び前記他方の音声入力端子のうちいずれか一方を選択する選択部とを備え、前記選択部は、前記ソース機器または前記シンク機器から制御情報が発行された場合は前記他方の音声入力端子を選択する。
【発明の効果】
【０００８】
本願の音声再生装置は、複数の音声入力のうち任意の音声入力に自動的に切り替えることができるため、使い勝手を向上することができる。
【図面の簡単な説明】
【０００９】
【図１】図１は、従来の音声再生装置を含む映像音声再生システムのブロック図である。
【図２】図２は、実施の形態における音声再生装置を含む映像音声再生システムのブロック図である。
【図３】図３は、シンク機器の設定で視聴状態にする場合の動作を示すフローチャートである。
【図４】図４は、ソース機器の操作で視聴状態にする場合の動作を示すフローチャートである。
【発明を実施するための最良の形態】
【００１０】
（実施の形態１）
〔１．音声再生装置及び映像音声再生システムの構成〕
〔１−１．従来の映像音声再生システムの構成〕
近年、主として民生用途の映像機器及び音響機器の分野において、映像機器と音響機器とを接続するインターフェース規格として、ＨＤＭＩ規格（High-Definition Multimedia Interface）が広く普及している。ＨＤＭＩは、映像データ及び音声データを非圧縮の状態で伝送することが可能である。【００１１】
ＨＤＭＩは、二つの機器間でデータ等の伝送が可能なインターフェースである。ＨＤＭＩは、一方の機器から他方の機器への一方向のデータ伝送が可能である。ＨＤＭＩにおいて定義される機器は、「Ｓｏｕｒｃｅ」（以降、「ソース機器」と呼ぶ）、「Ｓｉｎｋ」（以降「シンク機器」と呼ぶ）、および「Ｒｅｐｅａｔｅｒ」（以降、「リピータ機器」と呼ぶ）である。ソース機器は、信号を送出することができる機器である。シンク機器は、信号を受信することができる機器である。リピータ機器は、２つの機器の間に配置される。リピータ機器は、信号を受信及び送信することができる。リピータ機器は、複数の信号入力部と１つの信号出力部を備えた構成、あるいは１つの信号入力部と複数の信号出力部を備えた構成とすることができる。リピータ機器は、ソース機器あるいはシンク機器のセレクタ機能等を備えることができる。なお、上記リピータ機器は、信号をパススルーするのではなく、同一装置内にシンク機器とソース機器の両方の能力を有し、受信したＨＤＭＩ信号を、一旦映像信号、音声信号、および制御信号等にデコードし、デコードした信号を再びＨＤＭＩ信号に変換して出力することができる。【００１２】
リピータ機器は、セレクタ機能だけではなく、例えば音声を出力する機能を持たせることができる。具体的には、リピータ機器は、ソース機器（ＤＶＤプレーヤー等）から送られてきた音声信号を自身に備わるスピーカーなどで音声に変換して出力することができる。これにより、映像をシンク機器（テレビジョン受像機等）に表示し、音声をリピータ機器で出力することができるため、例えばホームシアターシステムなどの映像音声再生システムを構築することができる。【００１３】
また、ＨＤＭＩ規格に関連する規格として、ＣＥＣ（Consumer Electronics Control）規格がある。ＣＥＣ規格は、ＨＤＭＩで接続された機器間で制御情報（以降、「ＣＥＣコマンド」と呼ぶ）をやりとりすることにより、ユーザーが一方の機器を操作して他方の機器の動作制御を行うことができる規格である。ＣＥＣコマンドは、例えば、ソース機器からシンク機器の電源を制御することができる。また、ＣＥＣコマンドを用いることで、リピータ機器は、シンク機器の信号入力経路情報に応じて入力セレクタを切り替えることができ、映像信号及び音声信号の経路を自動的に切り替えることができる。この信号経路は、ＨＤＭＩ信号を伝送可能な信号経路に限らず、音声信号を伝送可能な信号経路であってもよい。【００１４】
図１は、従来の映像音声再生システムのブロック図を示す。図１に示す映像音声再生システムは、第１のソース機器１０１、第２のソース機器１０２、シンク機器１０３、および音声再生装置１０４を備えている。【００１５】
第１のソース機器１０１及び第２のソース機器１０２は、例えばＤＶＤに記録されている映像音声信号を読み出すことができるＤＶＤプレーヤーである。なお、図１では、第１のソース機器１０１及び第２のソース機器１０２を図示したが、少なくともいずれか一つを備えていればよい。第１のソース機器１０１は、ＨＤＭＩ出力端子１０１ａ、音声出力端子１０１ｂを備えている。第２のソース機器１０２は、ＨＤＭＩ出力端子１０２ａを備えている。ＨＤＭＩ接続において定義される第１のソース機器１０１の物理アドレスは、例えば［２．０．０．０］である。ＨＤＭＩ接続において定義される第２のソース機器１０２の物理アドレスは、例えば［１．１．０．０］である。音声出力端子１０１ｂは、デジタルデータからなる音声信号を出力可能な端子である。【００１６】
シンク機器１０３は、例えば映像を出力可能なテレビジョン受像機である。シンク機器１０３は、ＨＤＭＩ入力端子１０３ａ及び１０３ｂ、音声出力端子１０３ｃを備えている。ＨＤＭＩ接続において定義されるシンク機器１０３の物理アドレスは、例えば［０．０．０．０］である。音声出力端子１０３ｃは、アナログ信号またはデジタルデータからなる音声信号を出力可能な端子である。【００１７】
音声再生装置１０４は、例えば外部から入力される音声信号を処理して音声を出力することができるＡＶアンプである。音声再生装置１０４は、ＨＤＭＩ出力端子１０４ａ、ＨＤＭＩ入力端子１０４ｂ、音声入力端子１０４ｃ及び１０４ｄ、およびマイクロプロセッサユニット（ＭＰＵ）１０４ｅを備えている。図示は省略しているが、音声再生装置１０４は、音声を出力可能なスピーカーが接続されている。ＨＤＭＩ接続において定義される音声再生装置１０４の物理アドレスは、例えば［１．０．０．０］である。音声入力端子１０４ｃは、アナログ信号またはデジタルデータからなる音声信号を入力可能な端子である。音声入力端子１０４ｄは、デジタルデータからなる音声信号を入力可能な端子である。【００１８】
第１のソース機器１０１とシンク機器１０３は、ＨＤＭＩ出力端子１０１ａとＨＤＭＩ入力端子１０３ｂとがＨＤＭＩケーブル１０６で接続されている。シンク機器１０３と音声再生装置１０４は、ＨＤＭＩ入力端子１０３ａとＨＤＭＩ出力端子１０４ａとがＨＤＭＩケーブル１０５で接続され、音声出力端子１０３ｃと音声入力端子１０４ｃとが音声ケーブル１０７で接続されている。第２のソース機器１０２と音声再生装置１０４は、ＨＤＭＩ入力端子１０４ｂとＨＤＭＩ出力端子１０２ａとがＨＤＭＩケーブル１０９で接続されている。第１のソース機器１０１と音声再生装置１０４は、音声出力端子１０１ｂと音声入力端子１０４ｄとが音声ケーブル１０８で接続されている。【００１９】
従来の自動入力切替の動作は、主に下記のパターン（１）、（２）がある。【００２０】
（１）．第２のソース機器１０２を用いて映像及び音声を視聴する場合、まず第２のソース機器１０２は、ＣＥＣコマンド＜ＡｃｔｉｖｅＳｏｕｒｃｅ＞［１．１．０．０］を発行する。音声再生装置１０４は、第２のソース機器１０２が発行するＣＥＣコマンドを参照し、音声入力をＨＤＭＩ入力端子１０４ｂに切り換える。音声再生装置１０４は、ＨＤＭＩ信号を、ＨＤＭＩ出力端子１０４ａ、ＨＤＭＩケーブル１０５、およびＨＤＭＩ入力端子１０３ａを介して、シンク機器１０３へ送る。シンク機器１０３は、音声再生装置１０４から送られるＨＤＭＩ信号に基づき映像入力をＨＤＭＩ入力端子１０３ａへ切り換える。シンク機器１０３は、ＨＤＭＩ信号に含まれる映像信号を抽出し、抽出した映像信号に基づきディスプレイ画面に映像を表示させる。また、音声再生装置１０４は、第２のソース機器１０２から送られるＨＤＭＩ信号に含まれる音声信号を抽出し、抽出した音声信号を音声出力端子１０４ｆからスピーカーシステム１１０へ出力する。スピーカーシステム１１０は、入力される音声信号に基づき音声を出力する。なお、第２のソース機器１０２から出力される音声信号がマルチチャンネル（例えば５．１チャンネル）で、かつスピーカーシステム１１０がマルチチャンネル対応の場合は、スピーカーシステム１１０においてマルチチャンネルに対応した音声を出力することができる。【００２１】
（２）．シンク機器１０３で放送コンテンツを受信する場合、まずシンク機器１０３は、チューナ（不図示）で任意のチャンネルの放送波を受信する。シンク機器１０３は、受信した放送波に基づき映像信号及び音声信号を生成する。シンク機器１０３は、ディスプレイ画面に生成された映像信号に基づく映像を表示させる。シンク装置１０３は、生成された音声信号を音声出力端子１０３ｃ及び音声信号ケーブル１０７を介して音声入力端子１０４ｃへ送る。シンク機器１０３は、ＣＥＣコマンド＜ＡｃｔｉｖｅＳｏｕｒｃｅ＞［０．０．０．０］を発行する。音声再生装置１０４は、シンク機器１０３が発行したＣＥＣコマンドを参照し、音声入力を音声入力端子１０４ｃに切り換える。これにより、シンク機器１０３で受信した放送コンテンツの映像は、シンク機器１０３におけるディスプレイ画面に表示され、放送コンテンツの音声は音声再生装置１０４に接続されたスピーカーシステム１１０から出力することができる。【００２２】
ここで、シンク機器１０３がＨＤＭＩで入力された音声を自身の音声出力端子から出力することが可能であれば、さらに下記のパターン（３）、（４）の動作が考えられる。【００２３】
（３）．第１のソース機器１０１を用いて映像及び音声を視聴する場合、シンク機器１０３は、第１のソース機器１０１が発行するＣＥＣコマンド＜ＡｃｔｉｖｅＳｏｕｒｃｅ＞［２．０．０．０］に基づき、ＨＤＭＩ信号の入力をＨＤＭＩ入力端子１０３ｂへ切り換える。音声再生装置１０４は、上記ＣＥＣコマンドに基づき、音声信号の入力を音声入力端子１０３ｃに切り換える。これにより、第１のソース機器１０１から出力される映像信号に基づく映像をシンク機器１０３のディスプレイ画面に表示し、第１のソース機器１０１から出力される音声信号に基づく音声を音声再生装置１０４に接続されたスピーカーシステム１１０から出力することができる。【００２４】
（４）．第１のソース機器１０１がＣＥＣに非対応でかつ、第１のソース機器１０１を利用して映像及び音声を視聴する場合、まず、ユーザーはシンク機器１０３を操作してＨＤＭＩ入力をＨＤＭＩ入力端子１０３ｂに切り換える。次に、シンク機器１０３は、ＣＥＣコマンド＜ＳｅｔＳｔｒｅａｍＰａｔｈ＞［２．０．０．０］を発行する。音声再生装置１０４は、上記ＣＥＣコマンドを参照し、音声入力を音声入力端子１０４ｃへ切り替える。これにより、第１のソース機器１０１から出力される映像信号に基づく映像をシンク機器１０３のディスプレイ画面に表示し、第１のソース機器１０１から出力される音声信号に基づく音声を音声再生装置１０４に接続されたスピーカーシステム１１０から出力することができる。【００２５】
図１に示す音声再生装置１０４は、シンク機器１０３から送られる音声信号をスピーカーシステム１１０で音声出力する場合については、音声入力セレクタを自動的に切り替えることができる。しかし、第１のソース機器１０１から送られる音声信号をスピーカーシステム１１０で音声出力する場合については、音声ケーブル１０８で第１のソース機器１０１の音声出力端子１０１ｂと音声再生装置１０４の音声入力端子１０４ｄとを結線し、ユーザーが手動で音声再生装置１０４における音声入力セレクタを切り替えることが必要である。【００２６】
また、シンク機器１０３が、第１のソース機器１０１から送られる音声信号を音声出力端子１０３ｃから出力する構成では、たとえ第１のソース機器１０１からマルチチャンネルの音声信号が送られてきたとしても、シンク機器１０３が２チャンネルの音声信号にのみ対応している場合は、音声出力端子１０３ｃからは２チャンネルの音声信号が出力されることになる。なお、マルチチャンネルの音声信号は、例えばＡＡＣ（Advanced Audio Codec）方式やＡＣ３(Audio Coding Number 3)方式などがある。【００２７】
〔１−２．実施の形態にかかる映像音声再生システムの構成〕
本実施の形態にかかる音声再生装置は、シンク機器に接続された他のソース機器の音声信号をマルチチャンネル音声で再生可能とすることができる。また、本実施の形態にかかる音声再生装置は、ＣＥＣコマンドにより、自動的に音声入力を切り替えることができる。【００２８】
なお、本実施の形態におけるＣＥＣコマンドは、ベンダー独自コマンドを使用する手法もあるが、ＣＥＣ規格で定義されている標準コマンドを利用することとする。【００２９】
図２は、実施の形態にかかる音声再生装置を含む映像音声再生システムのブロック図である。図２に示す映像音声再生システムは、第１のソース機器１、第２のソース機器２、シンク機器３、および音声再生装置４を備えている。【００３０】
第１のソース機器１及び第２のソース機器２は、例えばＤＶＤに記録されている映像音声信号を読み出すことができるＤＶＤプレーヤーである。なお、図２では、第１のソース機器１及び第２のソース機器２を図示したが、少なくともいずれか一つを備えていればよい。第１のソース機器１は、ＨＤＭＩ出力端子１ａ、音声出力端子１ｂを備えている。ＨＤＭＩ出力端子１ａは、ＨＤＭＩ信号を出力可能な端子である。音声出力端子１ｂは、デジタルデータからなる音声信号を出力可能な端子である。第２のソース機器２は、ＨＤＭＩ出力端子２ａを備えている。ＨＤＭＩ出力端子２ａは、ＨＤＭＩ信号を出力可能な端子である。ＨＤＭＩ接続において定義される第１のソース機器１の物理アドレスは、［２．０．０．０］である。ＨＤＭＩ接続において定義される第２のソース機器２の物理アドレスは、［１．１．０．０］である。これらの物理アドレスは一例である。【００３１】
シンク機器３は、例えば映像を出力可能なテレビジョン受像機である。シンク機器３は、ＨＤＭＩ入力端子３ａ及び３ｂ、音声出力端子３ｃを備えている。ＨＤＭＩ入力端子３ａ及び３ｂは、ＨＤＭＩ信号を入力可能な端子である。音声出力端子３ｃは、デジタルデータからなる音声信号を出力可能な端子である。ＨＤＭＩ接続において定義されるシンク機器３の物理アドレスは、［０．０．０．０］である。この物理アドレスは一例である。【００３２】
音声再生装置４は、例えば外部から入力される音声信号を処理して音声を出力することができるＡＶアンプである。音声再生装置４は、ＨＤＭＩ出力端子４ａ、ＨＤＭＩ入力端子４ｂ、音声入力端子４ｃ及び４ｄ、マイクロプロセッサユニット（ＭＰＵ）４ｅ、参照部４ｆ、記憶部４ｇ、および音声出力端子４ｈを備えている。ＨＤＭＩ出力端子４ａは、ＨＤＭＩ信号を出力可能である。音声入力端子４ｃ及び４ｄは、デジタルデータからなる音声信号を入力可能である。ＭＰＵ４ｅは、音声再生装置４の動作を制御可能である。ＭＰＵ４ｅは、参照部４ｆで参照した物理アドレス値または記憶部４ｇが記憶している物理アドレス値に基づき、音声入力を音声入力端子４ｃ及び４ｄのうちいずれか一方を選択する機能を有する。音声出力端子４ｈは、音声信号に基づき音声を出力可能なスピーカーシステム１０が接続されている。ＨＤＭＩ接続において定義される音声再生装置４の物理アドレスは、［１．０．０．０］である。この物理アドレスは一例である。【００３３】
スピーカーシステム１０は、例えば、２つのフロントスピーカーと、２つのリヤスピーカーと、センタースピーカーと、サブウーファーとを含む、５．１チャンネルスピーカーシステムである。なお、スピーカーシステム１０は、スピーカーの数は限定されず、２チャンネルのステレオスピーカーシステムであってもよいし、７．１チャンネルスピーカーシステムであってもよい。なお、本実施の形態では、スピーカーシステム１０は、音声再生装置４に外部接続しているが、音声再生装置４に内蔵してもよい。【００３４】
第１のソース機器１とシンク機器３は、ＨＤＭＩ出力端子１ａとＨＤＭＩ入力端子３ｂとがＨＤＭＩケーブル６で接続されている。シンク機器３と音声再生装置４は、ＨＤＭＩ入力端子３ａとＨＤＭＩ出力端子４ａとがＨＤＭＩケーブル５で接続され、音声出力端子３ｃと音声入力端子４ｃとが音声ケーブル７で接続されている。第２のソース機器２と音声再生装置４は、ＨＤＭＩ入力端子４ｂとＨＤＭＩ出力端子２ａとがＨＤＭＩケーブル９で接続されている。第１のソース機器１と音声再生装置４は、音声出力端子１ｂと音声入力端子４ｄとが音声ケーブル８で接続されている。【００３５】
参照部４ｆは、音声再生装置４に接続された機器が発行するＣＥＣコマンドのうち、ＣＥＣコマンド内のパラメータである物理アドレス値を常に参照する。参照部４ｆは、物理アドレスの最新値を記憶部４ｇに書き込む。【００３６】
記憶部４ｇは、参照部４ｆでモニタリングしている物理アドレスの最新値を記憶する。記憶部４ｇへ物理アドレスの最新値を記憶する際、まず、音声再生装置４は、シンク装置３と第１のソース装置１とが接続されたことを検出すると、自身に備わる表示部（液晶ディスプレイ、蛍光管ディスプレイ等）に設定メニュー画面を表示する。次に、音声再生装置４は、ユーザーが例えばリモートコントローラーを操作して設定メニュー画面に表示された設定項目の中から「ＡＵＴＯ」が選択されたことを検出すると、参照部４ｆに対して物理アドレス値の最新値を参照する命令を送る。参照部４ｆは、音声再生装置４に接続された機器の物理アドレス値を参照し、参照した物理アドレス値の最新値を記憶部４ｇに書き込む。なお、設定メニュー画面における「ＡＵＴＯ」は、音声再生装置４が自動的に他の機器の物理アドレス値を参照する設定である。【００３７】
以下、図２に示す映像音声再生システムにおいて、シンク機器３において入力切替を行い、第１のソース機器１から出力される音声信号を音声再生装置４で再生する動作を説明する。【００３８】
図３は、第１のソース機器１から出力される音声信号を音声再生装置４で再生する動作を示すフローチャートである。まず、シンク機器３は、ＨＤＭＩ入力を、第１のソース機器１が接続されたＨＤＭＩ入力端子３ｂに切り替える。具体的には、シンク機器３は、ユーザーによりリモートコントローラーが操作されてＨＤＭＩ入力としてＨＤＭＩ入力端子３ｂが選択されたことを検出すると、ＨＤＭＩ入力をＨＤＭＩ入力端子３ｂに切り替える（ステップＳ１）。【００３９】
次に、シンク機器３は、ＣＥＣコマンド＜ＳｅｔＳｔｒｅａｍＰａｔｈ＞［２．０．０．０］を発行する。第１のソース機器１及び音声再生装置４は、シンク機器３が発行したＣＥＣコマンドを参照可能である（ステップＳ２）。【００４０】
次に、音声再生装置４は、参照部４ｆに対して、シンク機器３が発行するＣＥＣコマンドに含まれる物理アドレス値を記憶部４ｇに書き込むよう命令を送る。参照部４ｆは、その命令に基づき、シンク機器３が発行するＣＥＣコマンドに含まれる物理アドレス値を記憶部４ｇに書き込む（ステップＳ３）。【００４１】
次に、第１のソース機器１は、シンク機器３が発行したＣＥＣコマンドを受けて、自身がＣＥＣ対応の機器であればＣＥＣコマンド＜ＡｃｔｉｖｅＳｏｕｒｃｅ＞［２．０．０．０］を発行する（ステップＳ４）。シンク機器３及び音声再生装置４は、第１のソース機器１が発行したＣＥＣコマンド＜ＡｃｔｉｖｅＳｏｕｒｃｅ＞を参照可能である。なお、本実施の形態では、第１のソース機器１は、ＣＥＣに対応した機器として説明しているが、ＣＥＣに対応していなくてもよい。第１のソース機器１は、ＣＥＣに非対応の場合、ＣＥＣコマンド＜ＡｃｔｉｖｅＳｏｕｒｃｅ＞を発行しない。【００４２】
音声再生装置４は、シンク機器３が発行したＣＥＣコマンド＜ＳｅｔＳｔｒｅａｍＰａｔｈ＞あるいは第１のソース機器１が発行したＣＥＣコマンド＜ＡｃｔｉｖｅＳｏｕｒｃｅ＞を受けて、参照部４ｆに物理アドレス値の最新値を取得する命令を送る。参照部４ｆは、参照している物理アドレス値のうち最新値を記憶部４ｇに書き込む。例えば、参照部４ｆは、視聴機器である第１のソース装置１の物理アドレス値［２．０．０．０］を記憶部４ｇに書き込む（ステップＳ５）。【００４３】
次に、音声再生装置４は、ユーザーがリモートコントローラーなどを操作して切り替え機能が「有効」に設定されると（ステップＳ６）、参照部４ｆに対して、モニタリングしていた物理アドレス値［２．０．０．０］を切り替え対象機器の物理アドレス値として記憶部４ｇに記憶するよう制御する（ステップＳ７）。【００４４】
次に、音声再生装置４は、第１のソース機器１（音声入力端子４ｄに割り当てる切り替え対象機器）が視聴状態になると、視聴機器の物理アドレス値［２．０．０．０］が切り替え対象機器の物理アドレス値［２．０．０．０］に一致しているので、音声入力を音声入力端子４ｄに切り換える（ステップＳ８）。音声再生装置４は、視聴機器の物理アドレス値と切り替え対象機器の物理アドレス値とが一致しない場合は、音声入力の切り換えは行わない。【００４５】
なお、音声再生装置４は、切り替え対象機器の物理アドレス値が想定外である場合、切り替え対象機器の物理アドレス値として記憶することができない旨をユーザーに通知する。通知方法は、例えば、音声再生装置４に備わるフロントパネルディスプレイに、所定のメッセージを表示する。なお、「切り替え対象機器の物理アドレス値が想定外である場合」とは、例えば、切り替え対象機器がテレビジョン受像機である場合、切り替え対象機器の物理アドレス値が自身（音声再生装置４）の物理アドレス値と同じ物理アドレス値である場合、または切り替え対象機器の物理アドレス値を有するＣＥＣコマンドをいずれの機器も一度も発行していない場合などである。【００４６】
図４は、第１のソース機器１が音声を音声再生装置４で再生するよう制御する動作を示すフローチャートである。【００４７】
まず、シンク機器３は、ＣＥＣコマンド＜ＳｅｔＳｔｒｅａｍＰａｔｈ＞［２．０．０．０］を発行する。第１のソース機器１及び音声再生装置４は、シンク機器３が発行したＣＥＣコマンド＜ＳｅｔＳｔｒｅａｍＰａｔｈ＞を参照可能である（ステップＳ１１）。【００４８】
次に、音声再生装置４は、参照部４ｆに対して、シンク機器３が発行するＣＥＣコマンドに含まれる物理アドレス値を記憶部４ｇに書き込むよう命令を送る。参照部４ｆは、その命令に基づき、シンク機器３が発行するＣＥＣコマンドに含まれる物理アドレス値を記憶部４ｇに書き込む（ステップＳ１２）。【００４９】
次に、第１のソース機器１は、ユーザーによるリモートコントローラーなどの操作により、例えば音声の再生命令や設定メニュー画面の表示命令などを受けると、ＣＥＣコマンド＜ＡｃｔｉｖｅＳｏｕｒｃｅ＞［２．０．０．０］を発行する。シンク機器３及び音声再生装置４は、第１のソース機器１が発行したＣＥＣコマンド＜ＡｃｔｉｖｅＳｏｕｒｃｅ＞を参照可能である（ステップＳ１３）。なお、第１のソース機器１は、ＣＥＣに非対応の場合、ＣＥＣコマンド＜ＡｃｔｉｖｅＳｏｕｒｃｅ＞を発行しない。【００５０】
次に、音声再生装置４は、ＣＥＣコマンド＜ＡｃｔｉｖｅＳｏｕｒｃｅ＞を受けると、参照部４ｆに対して、第１のソース機器１の物理アドレスをモニタリングして、物理アドレスの最新値を記憶部４ｇに書き込むよう命令する。参照部４ｆは、記憶部４ｇに記憶している物理アドレス値が常に最新となるように、物理アドレス値のモニタリング及び更新を実行する（ステップＳ１４）。この場合、記憶部４ｇは、視聴機器の物理アドレス値［２．０．０．０］を保持することになる。【００５１】
次に、ユーザーにより設定メニュー画面が操作されて切り替え機能が「有効」に設定されると（ステップＳ１５）、参照部４ｆは、モニタリングしていた物理アドレス値［２．０．０．０］を、切り替え対象機器の物理アドレス値として記憶部４ｇに書き込む（ステップＳ１６）。【００５２】
次に、音声再生装置４は、第１のソース機器１（音声入力端子４ｄに割り当てる切り替え対象機器）が視聴状態になると、視聴機器の物理アドレス値［２．０．０．０］が切り替え対象機器の物理アドレス値［２．０．０．０］に一致しているので、音声入力を音声入力端子４ｄに切り換える（ステップＳ１７）。音声再生装置４は、視聴機器の物理アドレス値と切り替え対象機器の物理アドレス値とが一致しない場合は、音声入力の切り換え操作は行わない。【００５３】
本実施の形態では、音声再生装置４は、ＨＤＭＩ入力を有するリピータ機能を有するが、ソース機器に一体化された音声再生装置であっても、同様の制御手法により実現することができる。【００５４】
〔３．実施の形態の効果、他〕
本実施の形態にかかる音声再生装置４は、第１のソース機器１が発行する物理アドレス値が切り替え対象機器のアドレス値と一致している場合は、音声入力を音声入力端子４ｄに自動的に切り替える構成としたことにより、音声入力を手動で切り替えることなく、第１のソース機器１から送られる音声信号に基づく音声をスピーカーシステム１０から出力することができる。【００５５】
また、本実施の形態によれば、第１のソース機器１から出力される音声信号を、音声ケーブル８を介して直接音声再生装置４に送ることができるため、第１のソース機器１から出力される音声信号が５．１チャンネルなどのマルチチャンネルの音声信号である場合、音声再生装置４においてマルチチャンネルの音声信号に基づき５．１チャンネルなどの音声を再生することができる。【００５６】
また、本実施の形態によれば、第１のソース機器１がＣＥＣコマンドに非対応であっても、シンク機器３でＨＤＭＩ入力を第１のソース機器１に切り換えたときに、シンク機器３が、第１のソース機器１の物理アドレス値を含むＣＥＣコマンドを発行することで、音声再生装置４は、第１のソース機器の物理アドレスを参照することができる。音声再生装置４は、シンク機器３が発行したＣＥＣコマンドで参照できる物理アドレス値が切り替え対象機器のアドレス値と一致している場合は、音声入力を音声入力端子４ｄに自動的に切り替える構成としたことにより、音声入力を手動で切り替えることなく、第１のソース機器１から送られる音声信号に基づく音声をスピーカーシステム１０から出力することができる。【００５７】
なお、本実施の形態における第１のソース機器１及び第２のソース機器２は、本発明のソース機器の一例である。本実施の形態におけるシンク機器３は、本発明のシンク機器の一例である。本実施の形態における音声入力端子４ｃは、本発明の一方の音声入力端子の一例である。本実施の形態における音声入力端子４ｄは、本発明の他方の音声入力端子の一例である。本実施の形態におけるＭＰＵ４ｅは、本発明の選択部の一例である。本実施の形態における参照部４ｆは、本発明の参照部の一例である。本実施の形態における記憶部４ｇは、本発明の記憶部の一例である。
【産業上の利用可能性】
【００５８】
本願は、音声再生装置に有用である。
【図１】
2010122802.tif 000003
【図２】
2010122802.tif 000004
【図３】
2010122802.tif 000005
【図４】
2010122802.tif 000006
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
映像信号及び音声信号を送出するソース機器と、前記映像信号及び前記音声信号を受信するシンク機器とにデジタルインターフェースを介して接続可能であり、前記ソース機器または前記シンク機器から送られる音声信号を再生する音声再生装置であって、
前記シンク機器に接続可能な一方の音声入力端子と、
前記ソース機器に接続可能な他方の音声入力端子と、
前記デジタルインターフェース上において扱われる制御情報に基づき、前記一方の音声入力端子及び前記他方の音声入力端子のうちいずれか一方を選択する選択部とを備え、
前記選択部は、前記ソース機器または前記シンク機器から前記制御情報が発行された場合は前記他方の音声入力端子を選択する、音声再生装置。
【請求項２】
前記制御情報の物理アドレス情報を参照する参照部と、
前記参照部で参照した最新の物理アドレス情報を記憶する記憶部とをさらに備えた、請求項１に記載の音声再生装置。
【請求項３】
自装置に接続された別のソース機器からの映像信号及び音声信号を前記シンク機器に送出するリピータ機能をさらに有する、請求項１に記載の音声再生装置。
【請求項４】
前記デジタルインターフェースは、ＨＤＭＩ（High-Definition Multimedia Interface）規格に準拠するインターフェースであり、
前記デジタルインターフェースにおいて扱われる制御情報は、ＨＤＭＩ規格のＣＥＣ（Consumer Electronics Control）規格に準拠する制御情報である、請求項１記載の音声再生装置。
【手続補正２】
【補正対象書類名】明細書
【補正対象項目名】全文
【補正方法】変更
【補正の内容】
【発明の詳細な説明】
【技術分野】
【０００１】
本願の開示は、音声再生装置に関する。
【背景技術】
【０００２】
近年、主として民生用途の映像装置及び音響装置の分野において、映像装置と音響装置とを接続するインターフェース規格として、ＨＤＭＩ規格（High-Definition Multimedia Interface）が広く普及している。ＨＤＭＩは、デジタル機器間において、非圧縮の映像データ及び音声データを伝送することが可能である。非特許文献１及び非特許文献２は、ＨＤＭＩ規格の内容を開示している。
【０００３】
最近では、非特許文献１及び２に開示されているＨＤＭＩ規格に準拠したインターフェースを用いて、シンク機器（テレビジョン受像機等）とソース機器（ＤＶＤプレーヤー等）と音声再生装置（ＡＶアンプ等）とを接続したホームシアターシステムが普及しつつある。ＡＶアンプは、ＤＶＤプレーヤーから送られる音声信号またはテレビジョン受像機から送られる音声信号に基づき、スピーカーから音声出力を行うことができる機能を備えている。
【先行技術文献】
【非特許文献】
【０００４】
【非特許文献１】「High-Definition Multimedia Interface Specification Version 1.1」2004年
【非特許文献２】「ENHANCED EXTENDED DISPLAY IDENTIFICATION DATA STANDARD Release A,Revision 1 VESA,」2002年
【発明の概要】
【発明が解決しようとする課題】
【０００５】
しかしながら、従来のホームシアターシステムにおける音声再生装置は、ソース機器から出力される音声信号を入力する場合、ユーザーにおいて音声再生装置の音声入力を切り替える操作が必要となり、使い勝手を低下させてしまう。
【０００６】
また、従来のホームシアターシステムにおける音声再生装置は、ソース機器から出力される音声信号が、シンク機器を介して入力端子に入力されている。したがって、音声再生装置の入力端子に入力される音声信号は、シンク機器で処理された音声信号となる。すなわち、ソース機器が例えば５．１チャンネルの音声信号を出力したとしても、シンク機器が５．１チャンネルの音声信号を処理できず２チャンネルの音声信号しか処理できない場合は、音声再生装置には２チャンネルの音声信号が入力されてしまう。したがって、ソース機器及び音声再生装置が５．１チャンネルの音声再生に対応していたとしても５．１チャンネルの音声を出力することができないという問題がある。
【課題を解決するための手段】
【０００７】
本願に開示する音声再生装置は、映像信号及び音声信号を送出するソース機器と、前記映像信号及び前記音声信号を受信するシンク機器とにデジタルインターフェースを介して接続可能であり、前記ソース機器または前記シンク機器から送られる音声信号を再生する音声再生装置であって、前記シンク機器に接続可能な一方の音声入力端子と、前記ソース機器に接続可能な他方の音声入力端子と、前記デジタルインターフェース上において扱われる制御情報に基づき、前記一方の音声入力端子及び前記他方の音声入力端子のうちいずれか一方を選択する選択部とを備え、前記選択部は、前記ソース機器または前記シンク機器から制御情報が発行された場合は前記他方の音声入力端子を選択する。
【発明の効果】
【０００８】
本願に開示する音声再生装置によれば、複数の音声入力のうち任意の音声入力に自動的に切り替えることができるため、使い勝手を向上することができる。
【図面の簡単な説明】
【０００９】
【図１】図１は、従来の音声再生装置を含む映像音声再生システムのブロック図である。
【図２】図２は、実施の形態における音声再生装置を含む映像音声再生システムのブロック図である。
【図３】図３は、シンク機器の設定で視聴状態にする場合の動作を示すフローチャートである。
【図４】図４は、ソース機器の操作で視聴状態にする場合の動作を示すフローチャートである。
【発明を実施するための形態】
【００１０】
（実施の形態１）
〔１．音声再生装置及び映像音声再生システムの構成〕
〔１−１．従来の映像音声再生システムの構成〕
近年、主として民生用途の映像機器及び音響機器の分野において、映像機器と音響機器とを接続するインターフェース規格として、ＨＤＭＩ規格（High-Definition Multimedia Interface）が広く普及している。ＨＤＭＩは、映像データ及び音声データを非圧縮の状態で伝送することが可能である。
【００１１】
ＨＤＭＩは、二つの機器間でデータ等の伝送が可能なインターフェースである。ＨＤＭＩは、一方の機器から他方の機器への一方向のデータ伝送が可能である。ＨＤＭＩにおいて定義される機器は、「Ｓｏｕｒｃｅ」（以降、「ソース機器」と呼ぶ）、「Ｓｉｎｋ」（以降「シンク機器」と呼ぶ）、および「Ｒｅｐｅａｔｅｒ」（以降、「リピータ機器」と呼ぶ）である。ソース機器は、信号を送出することができる機器である。シンク機器は、信号を受信することができる機器である。リピータ機器は、２つの機器の間に配置される。リピータ機器は、信号を受信及び送信することができる。リピータ機器は、複数の信号入力部と１つの信号出力部を備えた構成、あるいは１つの信号入力部と複数の信号出力部を備えた構成とすることができる。リピータ機器は、ソース機器あるいはシンク機器のセレクタ機能等を備えることができる。なお、上記リピータ機器は、信号をパススルーするのではなく、同一装置内にシンク機器とソース機器の両方の能力を有し、受信したＨＤＭＩ信号を、一旦映像信号、音声信号、および制御信号等にデコードし、デコードした信号を再びＨＤＭＩ信号に変換して出力することができる。
【００１２】
リピータ機器は、セレクタ機能だけではなく、例えば音声を出力する機能を持たせることができる。具体的には、リピータ機器は、ソース機器（ＤＶＤプレーヤー等）から送られてきた音声信号を自身に備わるスピーカーなどで音声に変換して出力することができる。これにより、映像をシンク機器（テレビジョン受像機等）に表示し、音声をリピータ機器で出力することができるため、例えばホームシアターシステムなどの映像音声再生システムを構築することができる。
【００１３】
また、ＨＤＭＩ規格に関連する規格として、ＣＥＣ（Consumer Electronics Control）規格がある。ＣＥＣ規格は、ＨＤＭＩで接続された機器間で制御情報（以降、「ＣＥＣコマンド」と呼ぶ）をやりとりすることにより、ユーザーが一方の機器を操作して他方の機器の動作制御を行うことができる規格である。ＣＥＣコマンドは、例えば、ソース機器からシンク機器の電源を制御することができる。また、ＣＥＣコマンドを用いることで、リピータ機器は、シンク機器の信号入力経路情報に応じて入力セレクタを切り替えることができ、映像信号及び音声信号の経路を自動的に切り替えることができる。この信号経路は、ＨＤＭＩ信号を伝送可能な信号経路に限らず、音声信号を伝送可能な信号経路であってもよい。
【００１４】
図１は、従来の映像音声再生システムのブロック図を示す。図１に示す映像音声再生システムは、第１のソース機器１０１、第２のソース機器１０２、シンク機器１０３、および音声再生装置１０４を備えている。
【００１５】
第１のソース機器１０１及び第２のソース機器１０２は、例えばＤＶＤに記録されている映像音声信号を読み出すことができるＤＶＤプレーヤーである。なお、図１では、第１のソース機器１０１及び第２のソース機器１０２を図示したが、少なくともいずれか一つを備えていればよい。第１のソース機器１０１は、ＨＤＭＩ出力端子１０１ａ、音声出力端子１０１ｂを備えている。第２のソース機器１０２は、ＨＤＭＩ出力端子１０２ａを備えている。ＨＤＭＩ接続において定義される第１のソース機器１０１の物理アドレスは、例えば［２．０．０．０］である。ＨＤＭＩ接続において定義される第２のソース機器１０２の物理アドレスは、例えば［１．１．０．０］である。音声出力端子１０１ｂは、デジタルデータからなる音声信号を出力可能な端子である。
【００１６】
シンク機器１０３は、例えば映像を出力可能なテレビジョン受像機である。シンク機器１０３は、ＨＤＭＩ入力端子１０３ａ及び１０３ｂ、音声出力端子１０３ｃを備えている。ＨＤＭＩ接続において定義されるシンク機器１０３の物理アドレスは、例えば［０．０．０．０］である。音声出力端子１０３ｃは、アナログ信号またはデジタルデータからなる音声信号を出力可能な端子である。
【００１７】
音声再生装置１０４は、例えば外部から入力される音声信号を処理して音声を出力することができるＡＶアンプである。音声再生装置１０４は、ＨＤＭＩ出力端子１０４ａ、ＨＤＭＩ入力端子１０４ｂ、音声入力端子１０４ｃ及び１０４ｄ、およびマイクロプロセッサユニット（ＭＰＵ）１０４ｅを備えている。図示は省略しているが、音声再生装置１０４は、音声を出力可能なスピーカーが接続されている。ＨＤＭＩ接続において定義される音声再生装置１０４の物理アドレスは、例えば［１．０．０．０］である。音声入力端子１０４ｃは、アナログ信号またはデジタルデータからなる音声信号を入力可能な端子である。音声入力端子１０４ｄは、デジタルデータからなる音声信号を入力可能な端子である。
【００１８】
第１のソース機器１０１とシンク機器１０３は、ＨＤＭＩ出力端子１０１ａとＨＤＭＩ入力端子１０３ｂとがＨＤＭＩケーブル１０６で接続されている。シンク機器１０３と音声再生装置１０４は、ＨＤＭＩ入力端子１０３ａとＨＤＭＩ出力端子１０４ａとがＨＤＭＩケーブル１０５で接続され、音声出力端子１０３ｃと音声入力端子１０４ｃとが音声ケーブル１０７で接続されている。第２のソース機器１０２と音声再生装置１０４は、ＨＤＭＩ入力端子１０４ｂとＨＤＭＩ出力端子１０２ａとがＨＤＭＩケーブル１０９で接続されている。第１のソース機器１０１と音声再生装置１０４は、音声出力端子１０１ｂと音声入力端子１０４ｄとが音声ケーブル１０８で接続されている。
【００１９】
従来の自動入力切替の動作は、主に下記のパターン（１）、（２）がある。
【００２０】
（１）．第２のソース機器１０２を用いて映像及び音声を視聴する場合、まず第２のソース機器１０２は、ＣＥＣコマンド＜ＡｃｔｉｖｅＳｏｕｒｃｅ＞［１．１．０．０］を発行する。音声再生装置１０４は、第２のソース機器１０２が発行するＣＥＣコマンドを参照し、音声入力をＨＤＭＩ入力端子１０４ｂに切り換える。音声再生装置１０４は、ＨＤＭＩ信号を、ＨＤＭＩ出力端子１０４ａ、ＨＤＭＩケーブル１０５、およびＨＤＭＩ入力端子１０３ａを介して、シンク機器１０３へ送る。シンク機器１０３は、音声再生装置１０４から送られるＨＤＭＩ信号に基づき映像入力をＨＤＭＩ入力端子１０３ａへ切り換える。シンク機器１０３は、ＨＤＭＩ信号に含まれる映像信号を抽出し、抽出した映像信号に基づきディスプレイ画面に映像を表示させる。また、音声再生装置１０４は、第２のソース機器１０２から送られるＨＤＭＩ信号に含まれる音声信号を抽出し、抽出した音声信号を音声出力端子１０４ｆからスピーカーシステム１１０へ出力する。スピーカーシステム１１０は、入力される音声信号に基づき音声を出力する。なお、第２のソース機器１０２から出力される音声信号がマルチチャンネル（例えば５．１チャンネル）で、かつスピーカーシステム１１０がマルチチャンネル対応の場合は、スピーカーシステム１１０においてマルチチャンネルに対応した音声を出力することができる。
【００２１】
（２）．シンク機器１０３で放送コンテンツを受信する場合、まずシンク機器１０３は、チューナ（不図示）で任意のチャンネルの放送波を受信する。シンク機器１０３は、受信した放送波に基づき映像信号及び音声信号を生成する。シンク機器１０３は、ディスプレイ画面に生成された映像信号に基づく映像を表示させる。シンク装置１０３は、生成された音声信号を音声出力端子１０３ｃ及び音声信号ケーブル１０７を介して音声入力端子１０４ｃへ送る。シンク機器１０３は、ＣＥＣコマンド＜ＡｃｔｉｖｅＳｏｕｒｃｅ＞［０．０．０．０］を発行する。音声再生装置１０４は、シンク機器１０３が発行したＣＥＣコマンドを参照し、音声入力を音声入力端子１０４ｃに切り換える。これにより、シンク機器１０３で受信した放送コンテンツの映像は、シンク機器１０３におけるディスプレイ画面に表示され、放送コンテンツの音声は音声再生装置１０４に接続されたスピーカーシステム１１０から出力することができる。
【００２２】
ここで、シンク機器１０３がＨＤＭＩで入力された音声を自身の音声出力端子から出力することが可能であれば、さらに下記のパターン（３）、（４）の動作が考えられる。
【００２３】
（３）．第１のソース機器１０１を用いて映像及び音声を視聴する場合、シンク機器１０３は、第１のソース機器１０１が発行するＣＥＣコマンド＜ＡｃｔｉｖｅＳｏｕｒｃｅ＞［２．０．０．０］に基づき、ＨＤＭＩ信号の入力をＨＤＭＩ入力端子１０３ｂへ切り換える。音声再生装置１０４は、上記ＣＥＣコマンドに基づき、音声信号の入力を音声入力端子１０３ｃに切り換える。これにより、第１のソース機器１０１から出力される映像信号に基づく映像をシンク機器１０３のディスプレイ画面に表示し、第１のソース機器１０１から出力される音声信号に基づく音声を音声再生装置１０４に接続されたスピーカーシステム１１０から出力することができる。
【００２４】
（４）．第１のソース機器１０１がＣＥＣに非対応でかつ、第１のソース機器１０１を利用して映像及び音声を視聴する場合、まず、ユーザーはシンク機器１０３を操作してＨＤＭＩ入力をＨＤＭＩ入力端子１０３ｂに切り換える。次に、シンク機器１０３は、ＣＥＣコマンド＜ＳｅｔＳｔｒｅａｍＰａｔｈ＞［２．０．０．０］を発行する。音声再生装置１０４は、上記ＣＥＣコマンドを参照し、音声入力を音声入力端子１０４ｃへ切り替える。これにより、第１のソース機器１０１から出力される映像信号に基づく映像をシンク機器１０３のディスプレイ画面に表示し、第１のソース機器１０１から出力される音声信号に基づく音声を音声再生装置１０４に接続されたスピーカーシステム１１０から出力することができる。
【００２５】
図１に示す音声再生装置１０４は、シンク機器１０３から送られる音声信号をスピーカーシステム１１０で音声出力する場合については、音声入力セレクタを自動的に切り替えることができる。しかし、第１のソース機器１０１から送られる音声信号をスピーカーシステム１１０で音声出力する場合については、音声ケーブル１０８で第１のソース機器１０１の音声出力端子１０１ｂと音声再生装置１０４の音声入力端子１０４ｄとを結線し、ユーザーが手動で音声再生装置１０４における音声入力セレクタを切り替えることが必要である。
【００２６】
また、シンク機器１０３が、第１のソース機器１０１から送られる音声信号を音声出力端子１０３ｃから出力する構成では、たとえ第１のソース機器１０１からマルチチャンネルの音声信号が送られてきたとしても、シンク機器１０３が２チャンネルの音声信号にのみ対応している場合は、音声出力端子１０３ｃからは２チャンネルの音声信号が出力されることになる。なお、マルチチャンネルの音声信号は、例えばＡＡＣ（Advanced Audio Codec）方式やＡＣ３（Audio Coding Number 3）方式などがある。
【００２７】
〔１−２．実施の形態にかかる映像音声再生システムの構成〕
本実施の形態にかかる音声再生装置は、シンク機器に接続された他のソース機器の音声信号をマルチチャンネル音声で再生可能とすることができる。また、本実施の形態にかかる音声再生装置は、ＣＥＣコマンドにより、自動的に音声入力を切り替えることができる。
【００２８】
なお、本実施の形態におけるＣＥＣコマンドは、ベンダー独自コマンドを使用する手法もあるが、ＣＥＣ規格で定義されている標準コマンドを利用することとする。
【００２９】
図２は、実施の形態にかかる音声再生装置を含む映像音声再生システムのブロック図である。図２に示す映像音声再生システムは、第１のソース機器１、第２のソース機器２、シンク機器３、および音声再生装置４を備えている。
【００３０】
第１のソース機器１及び第２のソース機器２は、例えばＤＶＤに記録されている映像音声信号を読み出すことができるＤＶＤプレーヤーである。なお、図２では、第１のソース機器１及び第２のソース機器２を図示したが、少なくともいずれか一つを備えていればよい。第１のソース機器１は、ＨＤＭＩ出力端子１ａ、音声出力端子１ｂを備えている。ＨＤＭＩ出力端子１ａは、ＨＤＭＩ信号を出力可能な端子である。音声出力端子１ｂは、デジタルデータからなる音声信号を出力可能な端子である。第２のソース機器２は、ＨＤＭＩ出力端子２ａを備えている。ＨＤＭＩ出力端子２ａは、ＨＤＭＩ信号を出力可能な端子である。ＨＤＭＩ接続において定義される第１のソース機器１の物理アドレスは、［２．０．０．０］である。ＨＤＭＩ接続において定義される第２のソース機器２の物理アドレスは、［１．１．０．０］である。これらの物理アドレスは一例である。
【００３１】
シンク機器３は、例えば映像を出力可能なテレビジョン受像機である。シンク機器３は、ＨＤＭＩ入力端子３ａ及び３ｂ、音声出力端子３ｃを備えている。ＨＤＭＩ入力端子３ａ及び３ｂは、ＨＤＭＩ信号を入力可能な端子である。音声出力端子３ｃは、デジタルデータからなる音声信号を出力可能な端子である。ＨＤＭＩ接続において定義されるシンク機器３の物理アドレスは、［０．０．０．０］である。この物理アドレスは一例である。
【００３２】
音声再生装置４は、例えば外部から入力される音声信号を処理して音声を出力することができるＡＶアンプである。音声再生装置４は、ＨＤＭＩ出力端子４ａ、ＨＤＭＩ入力端子４ｂ、音声入力端子４ｃ及び４ｄ、マイクロプロセッサユニット（ＭＰＵ）４ｅ、参照部４ｆ、記憶部４ｇ、および音声出力端子４ｈを備えている。ＨＤＭＩ出力端子４ａは、ＨＤＭＩ信号を出力可能である。音声入力端子４ｃ及び４ｄは、デジタルデータからなる音声信号を入力可能である。ＭＰＵ４ｅは、音声再生装置４の動作を制御可能である。ＭＰＵ４ｅは、参照部４ｆで参照した物理アドレス値または記憶部４ｇが記憶している物理アドレス値に基づき、音声入力を音声入力端子４ｃ及び４ｄのうちいずれか一方を選択する機能を有する。音声出力端子４ｈは、音声信号に基づき音声を出力可能なスピーカーシステム１０が接続されている。ＨＤＭＩ接続において定義される音声再生装置４の物理アドレスは、［１．０．０．０］である。この物理アドレスは一例である。
【００３３】
スピーカーシステム１０は、例えば、２つのフロントスピーカーと、２つのリヤスピーカーと、センタースピーカーと、サブウーファーとを含む、５．１チャンネルスピーカーシステムである。なお、スピーカーシステム１０は、スピーカーの数は限定されず、２チャンネルのステレオスピーカーシステムであってもよいし、７．１チャンネルスピーカーシステムであってもよい。なお、本実施の形態では、スピーカーシステム１０は、音声再生装置４に外部接続しているが、音声再生装置４に内蔵してもよい。
【００３４】
第１のソース機器１とシンク機器３は、ＨＤＭＩ出力端子１ａとＨＤＭＩ入力端子３ｂとがＨＤＭＩケーブル６で接続されている。シンク機器３と音声再生装置４は、ＨＤＭＩ入力端子３ａとＨＤＭＩ出力端子４ａとがＨＤＭＩケーブル５で接続され、音声出力端子３ｃと音声入力端子４ｃとが音声ケーブル７で接続されている。第２のソース機器２と音声再生装置４は、ＨＤＭＩ入力端子４ｂとＨＤＭＩ出力端子２ａとがＨＤＭＩケーブル９で接続されている。第１のソース機器１と音声再生装置４は、音声出力端子１ｂと音声入力端子４ｄとが音声ケーブル８で接続されている。
【００３５】
参照部４ｆは、音声再生装置４に接続された機器が発行するＣＥＣコマンドのうち、ＣＥＣコマンド内のパラメータである物理アドレス値を常に参照する。参照部４ｆは、物理アドレスの最新値を記憶部４ｇに書き込む。
【００３６】
記憶部４ｇは、参照部４ｆでモニタリングしている物理アドレスの最新値を記憶する。記憶部４ｇへ物理アドレスの最新値を記憶する際、まず、音声再生装置４は、シンク装置３と第１のソース装置１とが接続されたことを検出すると、自身に備わる表示部（液晶ディスプレイ、蛍光管ディスプレイ等）に設定メニュー画面を表示する。次に、音声再生装置４は、ユーザーが例えばリモートコントローラーを操作して設定メニュー画面に表示された設定項目の中から「ＡＵＴＯ」が選択されたことを検出すると、参照部４ｆに対して物理アドレス値の最新値を参照する命令を送る。参照部４ｆは、音声再生装置４に接続された機器の物理アドレス値を参照し、参照した物理アドレス値の最新値を記憶部４ｇに書き込む。なお、設定メニュー画面における「ＡＵＴＯ」は、音声再生装置４が自動的に他の機器の物理アドレス値を参照する設定である。
【００３７】
以下、図２に示す映像音声再生システムにおいて、シンク機器３において入力切替を行い、第１のソース機器１から出力される音声信号を音声再生装置４で再生する動作を説明する。
【００３８】
図３は、第１のソース機器１から出力される音声信号を音声再生装置４で再生する動作を示すフローチャートである。まず、シンク機器３は、ＨＤＭＩ入力を、第１のソース機器１が接続されたＨＤＭＩ入力端子３ｂに切り替える。具体的には、シンク機器３は、ユーザーによりリモートコントローラーが操作されてＨＤＭＩ入力としてＨＤＭＩ入力端子３ｂが選択されたことを検出すると、ＨＤＭＩ入力をＨＤＭＩ入力端子３ｂに切り替える（ステップＳ１）。
【００３９】
次に、シンク機器３は、ＣＥＣコマンド＜ＳｅｔＳｔｒｅａｍＰａｔｈ＞［２．０．０．０］を発行する。第１のソース機器１及び音声再生装置４は、シンク機器３が発行したＣＥＣコマンドを参照可能である（ステップＳ２）。
【００４０】
次に、音声再生装置４は、参照部４ｆに対して、シンク機器３が発行するＣＥＣコマンドに含まれる物理アドレス値を記憶部４ｇに書き込むよう命令を送る。参照部４ｆは、その命令に基づき、シンク機器３が発行するＣＥＣコマンドに含まれる物理アドレス値を記憶部４ｇに書き込む（ステップＳ３）。
【００４１】
次に、第１のソース機器１は、シンク機器３が発行したＣＥＣコマンドを受けて、自身がＣＥＣ対応の機器であればＣＥＣコマンド＜ＡｃｔｉｖｅＳｏｕｒｃｅ＞［２．０．０．０］を発行する（ステップＳ４）。シンク機器３及び音声再生装置４は、第１のソース機器１が発行したＣＥＣコマンド＜ＡｃｔｉｖｅＳｏｕｒｃｅ＞を参照可能である。なお、本実施の形態では、第１のソース機器１は、ＣＥＣに対応した機器として説明しているが、ＣＥＣに対応していなくてもよい。第１のソース機器１は、ＣＥＣに非対応の場合、ＣＥＣコマンド＜ＡｃｔｉｖｅＳｏｕｒｃｅ＞を発行しない。
【００４２】
音声再生装置４は、シンク機器３が発行したＣＥＣコマンド＜ＳｅｔＳｔｒｅａｍＰａｔｈ＞あるいは第１のソース機器１が発行したＣＥＣコマンド＜ＡｃｔｉｖｅＳｏｕｒｃｅ＞を受けて、参照部４ｆに物理アドレス値の最新値を取得する命令を送る。参照部４ｆは、参照している物理アドレス値のうち最新値を記憶部４ｇに書き込む。例えば、参照部４ｆは、視聴機器である第１のソース装置１の物理アドレス値［２．０．０．０］を記憶部４ｇに書き込む（ステップＳ５）。
【００４３】
次に、音声再生装置４は、ユーザーがリモートコントローラーなどを操作して切り替え機能が「有効」に設定されると（ステップＳ６）、参照部４ｆに対して、モニタリングしていた物理アドレス値［２．０．０．０］を切り替え対象機器の物理アドレス値として記憶部４ｇに記憶するよう制御する（ステップＳ７）。
【００４４】
次に、音声再生装置４は、第１のソース機器１（音声入力端子４ｄに割り当てる切り替え対象機器）が視聴状態になると、視聴機器の物理アドレス値［２．０．０．０］が切り替え対象機器の物理アドレス値［２．０．０．０］に一致しているので、音声入力を音声入力端子４ｄに切り換える（ステップＳ８）。音声再生装置４は、視聴機器の物理アドレス値と切り替え対象機器の物理アドレス値とが一致しない場合は、音声入力の切り換えは行わない。
【００４５】
なお、音声再生装置４は、切り替え対象機器の物理アドレス値が想定外である場合、切り替え対象機器の物理アドレス値として記憶することができない旨をユーザーに通知する。通知方法は、例えば、音声再生装置４に備わるフロントパネルディスプレイに、所定のメッセージを表示する。なお、「切り替え対象機器の物理アドレス値が想定外である場合」とは、例えば、切り替え対象機器がテレビジョン受像機である場合、切り替え対象機器の物理アドレス値が自身（音声再生装置４）の物理アドレス値と同じ物理アドレス値である場合、または切り替え対象機器の物理アドレス値を有するＣＥＣコマンドをいずれの機器も一度も発行していない場合などである。
【００４６】
図４は、第１のソース機器１が音声を音声再生装置４で再生するよう制御する動作を示すフローチャートである。
【００４７】
まず、シンク機器３は、ＣＥＣコマンド＜ＳｅｔＳｔｒｅａｍＰａｔｈ＞［２．０．０．０］を発行する。第１のソース機器１及び音声再生装置４は、シンク機器３が発行したＣＥＣコマンド＜ＳｅｔＳｔｒｅａｍＰａｔｈ＞を参照可能である（ステップＳ１１）。
【００４８】
次に、音声再生装置４は、参照部４ｆに対して、シンク機器３が発行するＣＥＣコマンドに含まれる物理アドレス値を記憶部４ｇに書き込むよう命令を送る。参照部４ｆは、その命令に基づき、シンク機器３が発行するＣＥＣコマンドに含まれる物理アドレス値を記憶部４ｇに書き込む（ステップＳ１２）。
【００４９】
次に、第１のソース機器１は、ユーザーによるリモートコントローラーなどの操作により、例えば音声の再生命令や設定メニュー画面の表示命令などを受けると、ＣＥＣコマンド＜ＡｃｔｉｖｅＳｏｕｒｃｅ＞［２．０．０．０］を発行する。シンク機器３及び音声再生装置４は、第１のソース機器１が発行したＣＥＣコマンド＜ＡｃｔｉｖｅＳｏｕｒｃｅ＞を参照可能である（ステップＳ１３）。なお、第１のソース機器１は、ＣＥＣに非対応の場合、ＣＥＣコマンド＜ＡｃｔｉｖｅＳｏｕｒｃｅ＞を発行しない。
【００５０】
次に、音声再生装置４は、ＣＥＣコマンド＜ＡｃｔｉｖｅＳｏｕｒｃｅ＞を受けると、参照部４ｆに対して、第１のソース機器１の物理アドレスをモニタリングして、物理アドレスの最新値を記憶部４ｇに書き込むよう命令する。参照部４ｆは、記憶部４ｇに記憶している物理アドレス値が常に最新となるように、物理アドレス値のモニタリング及び更新を実行する（ステップＳ１４）。この場合、記憶部４ｇは、視聴機器の物理アドレス値［２．０．０．０］を保持することになる。
【００５１】
次に、ユーザーにより設定メニュー画面が操作されて切り替え機能が「有効」に設定されると（ステップＳ１５）、参照部４ｆは、モニタリングしていた物理アドレス値［２．０．０．０］を、切り替え対象機器の物理アドレス値として記憶部４ｇに書き込む（ステップＳ１６）。
【００５２】
次に、音声再生装置４は、第１のソース機器１（音声入力端子４ｄに割り当てる切り替え対象機器）が視聴状態になると、視聴機器の物理アドレス値［２．０．０．０］が切り替え対象機器の物理アドレス値［２．０．０．０］に一致しているので、音声入力を音声入力端子４ｄに切り換える（ステップＳ１７）。音声再生装置４は、視聴機器の物理アドレス値と切り替え対象機器の物理アドレス値とが一致しない場合は、音声入力の切り換え操作は行わない。
【００５３】
本実施の形態では、音声再生装置４は、ＨＤＭＩ入力を有するリピータ機能を有するが、ソース機器に一体化された音声再生装置であっても、同様の制御手法により実現することができる。
【００５４】
〔３．実施の形態の効果、他〕
本実施の形態にかかる音声再生装置４は、第１のソース機器１が発行する物理アドレス値が切り替え対象機器のアドレス値と一致している場合は、音声入力を音声入力端子４ｄに自動的に切り替える構成としたことにより、音声入力を手動で切り替えることなく、第１のソース機器１から送られる音声信号に基づく音声をスピーカーシステム１０から出力することができる。
【００５５】
また、本実施の形態によれば、第１のソース機器１から出力される音声信号を、音声ケーブル８を介して直接音声再生装置４に送ることができるため、第１のソース機器１から出力される音声信号が５．１チャンネルなどのマルチチャンネルの音声信号である場合、音声再生装置４においてマルチチャンネルの音声信号に基づき５．１チャンネルなどの音声を再生することができる。
【００５６】
また、本実施の形態によれば、第１のソース機器１がＣＥＣコマンドに非対応であっても、シンク機器３でＨＤＭＩ入力を第１のソース機器１に切り換えたときに、シンク機器３が、第１のソース機器１の物理アドレス値を含むＣＥＣコマンドを発行することで、音声再生装置４は、第１のソース機器の物理アドレスを参照することができる。音声再生装置４は、シンク機器３が発行したＣＥＣコマンドで参照できる物理アドレス値が切り替え対象機器のアドレス値と一致している場合は、音声入力を音声入力端子４ｄに自動的に切り替える構成としたことにより、音声入力を手動で切り替えることなく、第１のソース機器１から送られる音声信号に基づく音声をスピーカーシステム１０から出力することができる。
【００５７】
なお、本実施の形態における第１のソース機器１及び第２のソース機器２は、本発明のソース機器の一例である。本実施の形態におけるシンク機器３は、本発明のシンク機器の一例である。本実施の形態における音声入力端子４ｃは、本発明の一方の音声入力端子の一例である。本実施の形態における音声入力端子４ｄは、本発明の他方の音声入力端子の一例である。本実施の形態におけるＭＰＵ４ｅは、本発明の選択部の一例である。本実施の形態における参照部４ｆは、本発明の参照部の一例である。本実施の形態における記憶部４ｇは、本発明の記憶部の一例である。
【産業上の利用可能性】
【００５８】
本願の開示は、音声再生装置に有用である。
【符号の説明】
【００５９】
１  第１のソース機器
２  第２のソース機器
３  シンク機器
【手続補正３】
【補正対象書類名】図面
【補正対象項目名】全図
【補正方法】変更
【補正の内容】
【図１】
2010122802.tif 000007
【図２】
2010122802.tif 000008
【図３】
2010122802.tif 000009
【図４】
2010122802.tif 000010
【国際調査報告】
2010122802.tif 000011
2010122802.tif 000012
2010122802.tif 000013
2010122802.tif 000014